(57)【要約】【課題】ＣＤ−Ｒなどの記録媒体のレーベル面に印刷可能なプリンタにおいて、種々の形状の記録媒体に対する印刷位置のずれを精度よく調整可能とする。【解決手段】種々のＣＤ−Ｒが備える印刷領域の形状に応じた複数の印刷位置調整用のテストパターンを用意し、形状に応じて使い分ける。このテストパターンは、例えば、プリンタの印刷ヘッドの主走査方向および副走査方向の少なくとも一方に対して斜め方向になるように、印刷位置のずれを測定する際の測定方向を規定するとともに、印刷位置のずれに対応した所定の距離を測定可能に印刷されるパターンを含んでいる。【選択図】　図１
2004122582.tif 000002
【特許請求の範囲】
【請求項１】
印刷ヘッドを備え、該印刷ヘッドを、電子情報を記録するための記録媒体に対して相対的に主走査および副走査しつつ、該記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記主走査方向および副走査方向の少なくとも一方に対して斜め方向になるように、前記ずれを測定する際の測定方向を規定するとともに、前記ずれに対応した所定の距離を測定可能に印刷されるパターンを含む、
印刷制御装置。
【請求項２】
電子情報を記録するための記録媒体が備える所定の印刷領域への印刷を実行する印刷部を制御する印刷制御装置であって、
前記印刷領域は、多角形の形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記多角形の対角線方向に、前記ずれを測定する際の測定方向を規定するとともに、前記ずれに対応した所定の距離を測定可能に印刷されるパターンを含む、
印刷制御装置。
【請求項３】
電子情報を記録するための記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記ずれを測定する際の測定方向を少なくとも２方向規定するための少なくとも２つの線分を含むとともに、前記ずれに対応した所定の距離を測定可能に印刷されるパターンを含み、
前記２つの線分の長さは、略同一である、
印刷制御装置。
【請求項４】
電子情報を記録するための記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記ずれを２次元的に特定するために予め設定された２つの基準方向に対して斜め方向になるように、前記ずれを測定する際の測定方向を規定するとともに、前記ずれに対応した所定の距離を測定可能に印刷されるパターンを含む、
印刷制御装置。
【請求項５】
請求項１ないし４のいずれかに記載の印刷制御装置であって、
前記記録媒体は、回転中心を有しており、
前記テストパターンは、
前記記録媒体の回転中心を通り、該回転中心から前記印刷領域の外周との２つの交点までの各距離の少なくとも一方が最大となる直線上の線分を含む、
印刷制御装置。
【請求項６】
請求項１ないし５のいずれかに記載の印刷制御装置であって、更に、
前記印刷領域の形状を特定するための所定の情報を入力する情報入力部と、
互いに異なる形状の印刷領域を備える複数の前記記録媒体について、前記情報と、前記テストパターンとを対応付けて記憶する記憶部と、
前記記憶部を参照し、前記入力された情報に基づいて、前記情報に対応するテストパターンを選択する選択部と、
を備える印刷制御装置。
【請求項７】
請求項６記載の印刷制御装置であって、更に、
前記テストパターンの印刷結果から前記距離について測定された測定距離を入力する測定距離入力部と、
前記テストパターンと前記測定距離とに基づいて、２次元的な前記ずれ量を算出する算出部と、
前記ずれ量に基づいて、前記ずれを調整する調整部と、
を備える印刷制御装置。
【請求項８】
請求項７記載の印刷制御装置であって、
前記印刷部は、所定の載置台上の所定の位置に載置された前記記録媒体が備える前記印刷領域に印刷を実行し、
前記印刷部が印刷する画像データは、
前記印刷領域内に印刷すべき印刷画像データと、
前記載置台のサイズと略同一であって、前記印刷に供しない架空画像データと、を含み、
前記架空画像データ上の所定の位置に前記印刷画像データが配置されたデータであり、
前記調整部は、前記架空画像データ上における前記印刷画像データの配置位置を調整することによって、前記ずれを調整する、
印刷制御装置。
【請求項９】
印刷ヘッドを備え、該印刷ヘッドを、電子情報を記録するための記録媒体に対して相対的に主走査および副走査しつつ、該記録媒体が備える所定の印刷領域への印刷を実行する印刷部を制御する印刷制御方法であって、
前記印刷領域は、円形とは異なる形状を有しており、
（ａ）互いに異なる形状の印刷領域を備える複数の前記記録媒体について、前記印刷領域の形状を特定するための所定の情報と、前記印刷領域への印刷位置のずれを調整するために利用されるテストパターンとを対応付けて記憶する記憶部を準備する工程と、
（ｂ）前記テストパターンの印刷指示を取得する工程と、
（ｃ）前記印刷領域の形状を特定するための所定の情報を取得する工程と、
（ｄ）前記記憶部を参照し、前記取得した情報に基づいて、前記情報に対応するテストパターンを選択する工程と、
（ｅ）前記印刷部に前記選択されたテストパターンを印刷させる工程と、
を備え、
前記テストパターンは、
前記主走査方向および副走査方向の少なくとも一方に対して斜め方向になるように、前記ずれを測定する際の測定方向を規定するとともに、前記ずれに対応した所定の距離を測定可能に印刷されるパターンを含む、
印刷制御方法。
【請求項１０】
電子情報を記録するための記録媒体が備える所定の印刷領域への印刷を実行する印刷部を制御する印刷制御方法であって、
前記印刷領域は、多角形の形状を有しており、
（ａ）互いに異なる形状の印刷領域を備える複数の前記記録媒体について、前記印刷領域の形状を特定するための所定の情報と、前記印刷領域への印刷位置のずれを調整するために利用されるテストパターンとを対応付けて記憶する記憶部を準備する工程と、
（ｂ）前記テストパターンの印刷指示を取得する工程と、
（ｃ）前記印刷領域の形状を特定するための所定の情報を取得する工程と、
（ｄ）前記記憶部を参照し、前記取得した情報に基づいて、前記情報に対応するテストパターンを選択する工程と、
（ｅ）前記印刷部に前記選択されたテストパターンを印刷させる工程と、
を備え、
前記テストパターンは、
前記多角形の対角線方向に、前記ずれを測定する際の測定方向を規定するとともに、前記ずれに対応した所定の距離を測定可能に印刷されるパターンを含む、
印刷制御方法。
【請求項１１】
電子情報を記録するための記録媒体が備える所定の印刷領域への印刷を実行する印刷部を制御する印刷制御方法であって、
前記印刷領域は、円形とは異なる形状を有しており、
（ａ）互いに異なる形状の印刷領域を備える複数の前記記録媒体について、前記印刷領域の形状を特定するための所定の情報と、前記印刷領域への印刷位置のずれを調整するために利用されるテストパターンとを対応付けて記憶する記憶部を準備する工程と、
（ｂ）前記テストパターンの印刷指示を取得する工程と、
（ｃ）前記印刷領域の形状を特定するための所定の情報を取得する工程と、
（ｄ）前記記憶部を参照し、前記取得した情報に基づいて、前記情報に対応するテストパターンを選択する工程と、
（ｅ）前記印刷部に前記選択されたテストパターンを印刷させる工程と、
を備え、
前記テストパターンは、
前記ずれを測定する際の測定方向を少なくとも２方向規定するための少なくとも２つの線分を含むとともに、前記ずれに対応した所定の距離を測定可能に印刷されるパターンを含み、
前記２つの線分の長さは、略同一である、
印刷制御方法。
【請求項１２】
電子情報を記録するための記録媒体が備える所定の印刷領域への印刷を実行する印刷部を制御する印刷制御方法であって、
前記印刷領域は、円形とは異なる形状を有しており、
（ａ）互いに異なる形状の印刷領域を備える複数の前記記録媒体について、前記印刷領域の形状を特定するための所定の情報と、前記印刷領域への印刷位置のずれを調整するために利用されるテストパターンとを対応付けて記憶する記憶部を準備する工程と、
（ｂ）前記テストパターンの印刷指示を取得する工程と、
（ｃ）前記印刷領域の形状を特定するための所定の情報を取得する工程と、
（ｄ）前記記憶部を参照し、前記取得した情報に基づいて、前記情報に対応するテストパターンを選択する工程と、
（ｅ）前記印刷部に前記選択されたテストパターンを印刷させる工程と、
を備え、
前記テストパターンは、
前記ずれを２次元的に特定するために予め設定された２つの基準方向に対して斜め方向になるように、前記ずれを測定する際の測定方向を規定するとともに、前記ずれに対応した所定の距離を測定可能に印刷されるパターンを含む、
印刷制御方法。
【請求項１３】
印刷ヘッドを備え、該印刷ヘッドを、電子情報を記録するための記録媒体に対して相対的に主走査および副走査しつつ、該記録媒体が備える所定の印刷領域への印刷を実行する印刷部の、前記印刷領域への印刷位置のずれを調整する調整方法であって、
前記印刷領域は、円形とは異なる形状を有しており、
（ａ）前記印刷位置のずれを調整するために利用され、前記主走査方向および副走査方向の少なくとも一方に対して斜め方向になるように、前記ずれを測定する際の測定方向を規定するとともに、前記ずれに対応した所定の距離を測定可能なテストパターンを、前記印刷領域に印刷する工程と、
（ｂ）前記テストパターンの印刷結果から前記距離について測定された測定距離を取得する工程と、
（ｃ）前記テストパターンと前記測定距離とに基づいて、２次元的な前記ずれ量を算出する工程と、
（ｄ）前記ずれ量に基づいて、前記ずれを調整する工程と、
を備える調整方法。
【請求項１４】
電子情報を記録するための記録媒体が備える所定の印刷領域への印刷を実行する印刷部の、前記印刷領域への印刷位置のずれを調整する調整方法であって、
前記印刷領域は、多角形の形状を有しており、
（ａ）前記印刷位置のずれを調整するために利用され、前記多角形の対角線方向に、前記ずれを測定する際の測定方向を規定するとともに、前記ずれに対応した所定の距離を測定可能なテストパターンを、前記印刷領域に印刷する工程と、
（ｂ）前記テストパターンの印刷結果から前記距離について測定された測定距離を取得する工程と、
（ｃ）前記テストパターンと前記測定距離とに基づいて、２次元的な前記ずれ量を算出する工程と、
（ｄ）前記ずれ量に基づいて、前記ずれを調整する工程と、
を備える調整方法。
【請求項１５】
電子情報を記録するための記録媒体が備える所定の印刷領域への印刷を実行する印刷部の、前記印刷領域への印刷位置のずれを調整する調整方法であって、
前記印刷領域は、円形とは異なる形状を有しており、
（ａ）前記印刷位置のずれを調整するために利用され、前記ずれを測定する際の測定方向を少なくとも２方向規定するための少なくとも２つの、略同一の長さを有する線分を含むとともに、前記ずれに対応した所定の距離を測定可能なテストパターンを、前記印刷領域に印刷する工程と、
（ｂ）前記テストパターンの印刷結果から前記距離について測定された測定距離を取得する工程と、
（ｃ）前記テストパターンと前記測定距離とに基づいて、２次元的な前記ずれ量を算出する工程と、
（ｄ）前記ずれ量に基づいて、前記ずれを調整する工程と、
を備える調整方法。
【請求項１６】
電子情報を記録するための記録媒体が備える所定の印刷領域への印刷を実行する印刷部の、前記印刷領域への印刷位置のずれを調整する調整方法であって、
前記印刷領域は、円形とは異なる形状を有しており、
（ａ）前記印刷位置のずれを調整するために利用され、前記ずれを２次元的に特定するために予め設定された２つの基準方向に対して斜め方向になるように、前記ずれを測定する際の測定方向を規定するとともに、前記ずれに対応した所定の距離を測定可能なテストパターンを、前記印刷領域に印刷する工程と、
（ｂ）前記テストパターンの印刷結果から前記距離について測定された測定距離を取得する工程と、
（ｃ）前記テストパターンと前記測定距離とに基づいて、２次元的な前記ずれ量を算出する工程と、
（ｄ）前記ずれ量に基づいて、前記ずれを調整する工程と、
を備える調整方法。
【請求項１７】
印刷ヘッドを備え、該印刷ヘッドを、電子情報を記録するための記録媒体に対して相対的に主走査および副走査しつつ、該記録媒体が備える所定の印刷領域への印刷を実行する印刷部を制御するためのコンピュータプログラムであって、
前記印刷領域は、円形とは異なる形状を有しており、
前記印刷領域への印刷位置のずれを調整するために利用され、前記主走査方向および副走査方向の少なくとも一方に対して斜め方向になるように、前記ずれを測定する際の測定方向を規定するとともに、前記ずれに対応した所定の距離を測定可能に印刷されるパターンを含むテストパターンの印刷指示を取得する機能と、
前記印刷領域の形状を特定するための所定の情報を取得する機能と、
互いに異なる形状の印刷領域を備える複数の前記記録媒体について、前記情報と、前記テストパターンとを対応付けて記憶した記憶部を参照し、前記取得した情報に基づいて、前記情報に対応するテストパターンを選択する機能と、
前記印刷部に前記選択されたテストパターンを印刷させる機能と、
をコンピュータに実現させるためのコンピュータプログラム。
【請求項１８】
電子情報を記録するための記録媒体が備える所定の印刷領域への印刷を実行する印刷部を制御するためのコンピュータプログラムであって、
前記印刷領域は、多角形の形状を有しており、
前記印刷領域への印刷位置のずれを調整するために利用され、前記多角形の対角線方向に、前記ずれを測定する際の測定方向を規定するとともに、前記ずれに対応した所定の距離を測定可能に印刷されるパターンを含むテストパターンの印刷指示を取得する機能と、
前記印刷領域の形状を特定するための所定の情報を取得する機能と、
互いに異なる形状の印刷領域を有する複数の前記記録媒体について、前記情報と、前記テストパターンとを対応付けて記憶した記憶部を参照し、前記取得した情報に基づいて、前記情報に対応するテストパターンを選択する機能と、
前記印刷部に前記選択されたテストパターンを印刷させる機能と、
をコンピュータに実現させるためのコンピュータプログラム。
【請求項１９】
電子情報を記録するための記録媒体が備える所定の印刷領域への印刷を実行する印刷部を制御するためのコンピュータプログラムであって、
前記印刷領域は、円形とは異なる形状を有しており、
前記印刷領域への印刷位置のずれを調整するために利用され、前記ずれを測定する際の測定方向を少なくとも２方向規定するための少なくとも２つの、略同一の長さを有する線分を含むとともに、前記ずれに対応した所定の距離を測定可能に印刷されるパターンを含むテストパターンの印刷指示を取得する機能と、
前記印刷領域の形状を特定するための所定の情報を取得する機能と、
互いに異なる形状の印刷領域を有する複数の前記記録媒体について、前記情報と、前記テストパターンとを対応付けて記憶した記憶部を参照し、前記取得した情報に基づいて、前記情報に対応するテストパターンを選択する機能と、
前記印刷部に前記選択されたテストパターンを印刷させる機能と、
をコンピュータに実現させるためのコンピュータプログラム。
【請求項２０】
電子情報を記録するための記録媒体が備える所定の印刷領域への印刷を実行する印刷部を制御するためのコンピュータプログラムであって、
前記印刷領域は、円形とは異なる形状を有しており、
前記印刷領域への印刷位置のずれを調整するために利用され、前記ずれを２次元的に特定するために予め設定された２つの基準方向に対して斜め方向になるように、前記ずれを測定する際の測定方向を規定するとともに、前記ずれに対応した所定の距離を測定可能に印刷されるパターンを含むテストパターンの印刷指示を取得する機能と、
前記印刷領域の形状を特定するための所定の情報を取得する機能と、
互いに異なる形状の印刷領域を有する複数の前記記録媒体について、前記情報と、前記テストパターンとを対応付けて記憶した記憶部を参照し、前記取得した情報に基づいて、前記情報に対応するテストパターンを選択する機能と、
前記印刷部に前記選択されたテストパターンを印刷させる機能と、
をコンピュータに実現させるためのコンピュータプログラム。
【請求項２１】
印刷ヘッドを備え、該印刷ヘッドを、電子情報を記録するための記録媒体に対して相対的に主走査および副走査しつつ、該記録媒体が備える所定の印刷領域への印刷を実行する印刷部の、前記印刷領域への印刷位置のずれを調整するためのコンピュータプログラムであって、
前記印刷領域は、円形とは異なる形状を有しており、
前記印刷部に、前記印刷位置のずれを調整するために利用され、前記主走査方向および副走査方向の少なくとも一方に対して斜め方向になるように、前記ずれを測定する際の測定方向を規定するとともに、前記ずれに対応した所定の距離を測定可能なテストパターンを、前記印刷領域に印刷させる機能と、
前記テストパターンの印刷結果から前記距離について測定された測定距離を取得する機能と、
前記テストパターンと前記測定距離とに基づいて、２次元的な前記ずれ量を算出する機能と、
前記ずれ量に基づいて、前記ずれを調整する機能と、
をコンピュータに実現させるためのコンピュータプログラム。
【請求項２２】
電子情報を記録するための記録媒体が備える所定の印刷領域への印刷を実行する印刷部の、前記印刷領域への印刷位置のずれを調整するためのコンピュータプログラムであって、
前記印刷領域は、多角形の形状を有しており、
前記印刷部に、前記印刷位置のずれを調整するために利用され、前記多角形の対角線方向に、前記ずれを測定する際の測定方向を規定するとともに、前記ずれに対応した所定の距離を測定可能なテストパターンを、前記印刷領域に印刷させる機能と、
前記テストパターンの印刷結果から前記距離について測定された測定距離を取得する機能と、
前記テストパターンと前記測定距離とに基づいて、２次元的な前記ずれ量を算出する機能と、
前記ずれ量に基づいて、前記ずれを調整する機能と、
をコンピュータに実現させるためのコンピュータプログラム。
【請求項２３】
電子情報を記録するための記録媒体が備える所定の印刷領域への印刷を実行する印刷部の、前記印刷領域への印刷位置のずれを調整するためのコンピュータプログラムであって、
前記印刷領域は、円形とは異なる形状を有しており、
前記印刷部に、前記印刷位置のずれを調整するために利用され、前記ずれを測定する際の測定方向を少なくとも２方向規定するための少なくとも２つの、略同一の長さを有する線分を含むとともに、前記ずれに対応した所定の距離を測定可能なテストパターンを、前記印刷領域に印刷させる機能と、
前記テストパターンの印刷結果から前記距離について測定された測定距離を取得する機能と、
前記テストパターンと前記測定距離とに基づいて、２次元的な前記ずれ量を算出する機能と、
前記ずれ量に基づいて、前記ずれを調整する機能と、
をコンピュータに実現させるためのコンピュータプログラム。
【請求項２４】
電子情報を記録するための記録媒体が備える所定の印刷領域への印刷を実行する印刷部の、前記印刷領域への印刷位置のずれを調整するためのコンピュータプログラムであって、
前記印刷領域は、円形とは異なる形状を有しており、
前記印刷部に、前記印刷位置のずれを調整するために利用され、前記ずれを２次元的に特定するために予め設定された２つの基準方向に対して斜め方向になるように、前記ずれを測定する際の測定方向を規定するとともに、前ずれに対応した所定の距離を測定可能なテストパターンを、前記印刷領域に印刷させる機能と、
前記テストパターンの印刷結果から前記距離について測定された測定距離を取得する機能と、
前記テストパターンと前記測定距離とに基づいて、２次元的な前記ずれ量を算出する機能と、
前記ずれ量に基づいて、前記ずれを調整する機能と、
をコンピュータに実現させるためのコンピュータプログラム。
【請求項２５】
請求項１７ないし２４のいずれかに記載のコンピュータプログラムをコンピュータ読み取り可能に記録した記録媒体。
【発明の詳細な説明】
【０００１】
【発明の属する技術分野】
本発明は、電子情報を記録する記録媒体表面への印刷位置の調整に関する。
【０００２】
【従来の技術】
従来、パーソナルコンピュータの普及に伴い、ＣＤ−Ｒなど電子情報を記録するための記録媒体が普及している。この記録媒体には、その表面にユーザが自由に文字を書き込んだり、好みの画像を印刷したりするための領域が用意されているものがある。このため、記録媒体の所定領域に印刷を行うことが可能なインクジェットプリンタが普及している。
【０００３】
ＣＤ−Ｒの印刷領域に印刷を行う場合、印刷位置がずれると、そのずれが目立ちやすい傾向にある。特に、白地の印刷領域全面に濃い色の画像を印刷する場合には、印刷位置がずれると、未印刷の白色領域が生じるため目立ちやすい。従って、ＣＤ−Ｒに印刷可能なインクジェットプリンタは、通常、印刷位置調整用の所定のテストパターンを印刷し、その印刷結果から印刷位置の微調整を行う機能を備えている。
【０００４】
図９は、従来の印刷位置調整用テストパターンの印刷の一例を示す説明図である。上述したインクジェットプリンタでは、ＣＤ−Ｒを載置するための凹部が設けられた専用のトレイ２００が用意されている。ユーザは、ＣＤ−Ｒと同じドーナツ形状の印刷位置確認用シート３００をトレイ２００の凹部に載置して、インクジェットプリンタにセットする。そして、図示した４つの十字のマークＭＫからなるテストパターンを、印刷位置確認用シート３００の中心点Ｏの上下左右に印刷する。図から分かるように、このテストパターンは、測定方向を規定するとともに、次に示す距離を測定可能なテストパターンである。ユーザは、印刷されたテストパターンについて、定規でマークＭＫの十字の交点から印刷位置確認用シート３００の内径部ｒまでの距離Ｌａ、Ｌｂを測定する。トレイ２００の各辺から中心点Ｏまでの距離、および、印刷位置確認用シート３００の内径は既知であるから、ＬａおよびＬｂを特定することによって、横方向および縦方向、つまり、印刷ヘッドの主走査方向および副走査方向の印刷位置のずれ量を特定することができる。
【０００５】
【特許文献１】
特開２００１−１５０７５３号公報
【０００６】
【発明が解決しようとする課題】
近年、従来のドーナツ型のＣＤ−Ｒよりも小型であって、名刺型、ハート型、星型など種々の形状のＣＤ−Ｒが市販されている。このような形状のＣＤ−Ｒは、ディスクの形状と略同一の形状の印刷領域を備える場合が多い。従来のインクジェットプリンタは、このようなＣＤ−Ｒには対応していなかった。また、従来のドーナツ型と異なる形状のＣＤ−Ｒに、上述した従来のテストパターンを適用しようとすると、ユーザは、定規を用いて従来よりも短い距離を測定しなければならず、測定が行いにくくなることが予想される。この場合、測定誤差が大きくなり、正確な印刷位置の調整が困難な場合が生じ得る。
【０００７】
このような課題は、上述したＣＤ−Ｒに限られず、フレキシブルディスクや、ミニディスク（商標）など、印刷領域を備える他の記録媒体への印刷についても同様に生じ得る。
【０００８】
本発明は、上述の課題を解決するためになされたものであり、種々の記録媒体が備える種々の形状の印刷領域に、ユーザが定規を用いて所定の距離を測定し易いテストパターンを印刷し、精度よく印刷位置の調整を行うことを目的とする。
【０００９】
【課題を解決するための手段およびその作用・効果】
上述の課題の少なくとも一部を解決するため、本発明では、以下の構成を採用した。
本発明の第１の印刷制御装置は、
印刷ヘッドを備え、該印刷ヘッドを、電子情報を記録するための記録媒体に対して相対的に主走査および副走査しつつ、該記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記主走査方向および副走査方向の少なくとも一方に対して斜め方向になるように、前記ずれを測定する際の測定方向を規定するとともに、前記ずれに対応した所定の距離を測定可能に印刷されるパターンを含むことを要旨とする。
【００１０】
例えば、印刷領域が長方形である場合、短辺に平行な方向に配置されるマーク（パターン）を含む従来のテストパターンを印刷すると、ユーザは、定規を用いて短い距離を測定しなければならず、正確な測定が困難な場合がある。本発明では、印刷ヘッドの主走査方向および副走査方向の少なくとも一方に対して斜め方向に距離を測定可能なパターンを含むテストパターンを印刷する。従って、印刷されたテストパターンにおいて、ユーザが所定の距離を測定するために定規を当てることができるスペースを、従来のテストパターンの場合よりも多く確保することができる。この結果、ユーザが定規を用いて所定の距離の測定を行い易くすることができる。なお、本発明におけるテストパターンは、先に従来の技術として説明した十字のマークを含んでいる必要はなく、単純な線分や点であってもよい。
【００１１】
本発明の第２の印刷制御装置は、
電子情報を記録するための記録媒体が備える所定の印刷領域への印刷を実行する印刷部を制御する印刷制御装置であって、
前記印刷領域は、多角形の形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記多角形の対角線方向に、前記ずれを測定する際の測定方向を規定するとともに、前記ずれに対応した所定の距離を測定可能に印刷されるパターンを含むことを要旨とする。
【００１２】
印刷領域が多角形の形状を有する場合、多角形の対角線の少なくとも一部は、多角形内に配置可能な他の線分よりも長い場合が多い。従って、本発明におけるテストパターンによっても、印刷されたテストパターンにおいて、ユーザが所定の距離を測定するために定規を当てることができるスペースを、従来のテストパターンの場合よりも多く確保することができ、ユーザが定規を用いて所定の距離の測定を行い易くすることができる。
【００１３】
本発明の第３の印刷制御装置は、
電子情報を記録するための記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記ずれを測定する際の測定方向を少なくとも２方向規定するための少なくとも２つの線分を含むとともに、前記ずれに対応した所定の距離を測定可能に印刷されるパターンを含み、
前記２つの線分の長さは、略同一であることを要旨とする。
【００１４】
こうすることによって、テストパターンによって規定された２方向について、同等な精度で所定の距離を測定することができる。
【００１５】
本発明の第４の印刷制御装置は、
電子情報を記録するための記録媒体が備える所定の印刷領域への印刷を実行する印刷部を制御する印刷制御装置であって、
前記印刷領域は、円形とは異なる形状を有しており、
前記印刷制御装置は、
前記印刷領域への印刷位置のずれを調整するために利用されるテストパターンの印刷指示を入力する指示入力部と、
前記指示に応じて、前記印刷部に前記テストパターンを印刷させる印刷制御部と、を備え、
前記テストパターンは、
前記ずれを２次元的に特定するために予め設定された２つの基準方向に対して斜め方向になるように、前記ずれを測定する際の測定方向を規定するとともに、前記ずれに対応した所定の距離を測定可能に印刷されるパターンを含むことを要旨とする。
【００１６】
こうすることによっても、印刷されたテストパターンにおいて、ユーザが所定の距離を測定するために定規を当てることができるスペースを従来のテストパターンの場合よりも多く確保することができ、ユーザが定規を用いて所定の距離の測定を行い易くすることができる。
【００１７】
上述した本発明の第１ないし第４の印刷制御装置のいずれかにおいて、
前記記録媒体は、回転中心を有しており、
前記テストパターンは、
前記記録媒体の回転中心を通り、該回転中心から前記印刷領域の外周との２つの交点までの各距離の少なくとも一方が最大となる直線上の線分を含むようにすることができる。
【００１８】
こうすることによって、ＣＤ−Ｒなど回転中心を有する記録媒体の印刷領域に印刷されたテストパターンにおいて、ユーザが所定の距離を測定するために定規を当てることができるスペースを従来のテストパターンの場合よりも多く確保することができ、ユーザが定規を用いて所定の距離の測定を行い易くすることができる。
【００１９】
また、上述した本発明の印刷制御装置において、更に、
前記印刷領域の形状を特定するための所定の情報を入力する情報入力部と、
互いに異なる形状の印刷領域を備える複数の前記記録媒体について、前記情報と、前記テストパターンとを対応付けて記憶する記憶部と、
前記記憶部を参照し、前記入力された情報に基づいて、前記情報に対応するテストパターンを選択する選択部と、
を備えるようにすることができる。
【００２０】
こうすることによって、種々の記録媒体が備える印刷領域の形状に応じてテストパターンを適切に切り換え、印刷することができる。
【００２１】
上記印刷制御装置において、更に、
前記テストパターンの印刷結果から前記距離について測定された測定距離を入力する測定距離入力部と、
前記テストパターンと前記測定距離とに基づいて、２次元的な前記ずれ量を算出する算出部と、
前記ずれ量に基づいて、前記ずれを調整する調整部と、
を備えるようにすることができる。
【００２２】
こうすることによって、記録媒体が備える円形と異なる形状を有する印刷領域への印刷位置の調整を行うことができる。
【００２３】
上記印刷制御装置において、印刷位置の調整は、種々の方法で行うことができるが、例えば、
前記印刷部は、所定の載置台上の所定の位置に載置された前記記録媒体が備える前記印刷領域に印刷を実行し、
前記印刷部が印刷する画像データは、
前記印刷領域内に印刷すべき印刷画像データと、
前記載置台のサイズと略同一であって、前記印刷に供しない架空画像データと、を含み、
前記架空画像データ上の所定の位置に前記印刷画像データが配置されたデータであり、
前記調整部は、前記架空画像データ上における前記印刷画像データの配置位置を調整することによって、前記ずれを調整するようにすることができる。
【００２４】
こうすることによって、印刷領域への印刷位置の調整をソフトウェア的に容易に行うことができる。なお、印刷位置の調整は、印刷ヘッドの位置を調整したり、記録媒体のセット位置を調整したりするなど、ハードウェア的に行うようにしてもよい。
【００２５】
本発明は、上述の印刷制御装置としての構成の他、印刷制御方法、印刷位置のずれの調整方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２６】
本発明をコンピュータプログラムまたはそのプログラムを記録した記録媒体等として構成する場合には、印刷制御装置を駆動するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００２７】
【発明の実施の形態】
以下、本発明の実施の形態について、実施例に基づき以下の順序で説明する。
Ａ．印刷システムの構成：
Ｂ．印刷制御装置：
Ｃ．テストパターン：
Ｄ．テストパターンの印刷処理：
Ｅ．印刷位置のずれの測定：
Ｆ．画像の印刷（印刷位置のずれ調整）：
Ｇ．変形例：
【００２８】
Ａ．印刷システムの構成：
図１は、本発明の印刷制御装置を適用した一実施例としての印刷システムの構成を示す説明図である。この印刷システムは、パーソナルコンピュータＰＣとインクジェットプリンタ１０とから構成されている。
【００２９】
インクジェットプリンタ１０は、図示しない印刷ヘッドを主走査しつつ、印刷媒体を副走査して印刷を行う。また、インクジェットプリンタ１０は、種々の形状を有するＣＤ−Ｒに対応した専用のトレイ２０にＣＤ−Ｒ３０を載置し、これを所定の位置にセットして、ＣＤ−Ｒ３０が備える所定の印刷領域に印刷を行うことも可能である。また、ユーザは、インクジェットプリンタ１０を用いて、ＣＤ−Ｒ３０に印刷を行うに先立って、後述する印刷位置調整用のテストパターンの印刷を行うことも可能である。
【００３０】
図２は、インクジェットプリンタ１０にセットされるトレイ２０およびＣＤ−Ｒ３０を示す斜視図である。ここでは、名刺型のＣＤ−Ｒ３０、および、ＣＤ−Ｒ３０を載置するためのトレイ２０を示した。トレイ２０には、ＣＤ−Ｒ３０を嵌合するための凹部２２が設けられている。これによって、ＣＤ−Ｒ３０をトレイ２０に載置する際の位置決めを正確に行うことができる。ＣＤ−Ｒ３０は、その外形形状と略同一形状の印刷領域３２を備えている。
【００３１】
Ｂ．印刷制御装置：
パーソナルコンピュータＰＣ（図１）は、ＣＤ−Ｒ３０への印刷を行うためのアプリケーション１００と、プリンタドライバ２００とを備えている。アプリケーション１００は、ＣＤ−Ｒ３０の印刷領域３２に印刷すべきテストパターンを設定したり、画像データを編集したり、テストパターンの印刷結果に基づいて、印刷位置の調整を行ったりするためのソフトウェアであり、図示する各機能ブロックを備えている。パーソナルコンピュータＰＣは、本発明の印刷制御装置に相当する。
【００３２】
制御部１１０は、アプリケーション１００内の各部の動作制御を行う。入力部１２０は、ユーザからの印刷実行指示などの各種指示の入力や、インクジェットプリンタ１０に印刷させる画像データの入力などの各種入力を行う。これらの入力は、ユーザによるマウスやキーボードの操作によって、パーソナルコンピュータＰＣのディスプレイに表示されるグラフィカル・ユーザ・インタフェース（ＧＵＩ）を用いて行われる。
【００３３】
テストパターン記憶部１４０は、複数種類のＣＤ−Ｒ３０について、その外形形状、即ち、印刷領域３２の形状と、テストパターンとを対応付けて予め記憶している。選択部１３０は、テストパターン記憶部１４０を参照し、ユーザによって指定されたＣＤ−Ｒ３０の形状に対応するテストパターンを選択する。この選択されたテストパターンのデータは、出力部１８０によってプリンタドライバ２００に出力され、インクジェットプリンタ１０によって印刷される。
【００３４】
算出部１５０は、テストパターンの印刷結果からユーザが定規を用いて測定した距離に基づいて、印刷位置のずれ量を算出する。ここでのユーザによる距離の測定は、先に説明した長さＬａ、Ｌｂの測定と同様にして行われる。距離の測定については、後述する。調整量記憶部１６０は、算出部１５０によって算出されたずれ量に基づく画像の印刷時に調整すべき調整量を、印刷領域３２の形状と対応付けて記憶する。
【００３５】
画像編集部１７０は、ＣＤ−Ｒ３０に印刷すべき画像データをユーザの指示に従って編集・加工する。また、画像編集部１７０は、調整部１７２を備えており、画像の印刷時に、調整量記憶部１６０から印刷する印刷領域３２の形状に対応した調整量を取得し、画像処理によって印刷位置のずれを調整する。この調整処理については後述する。印刷位置の調整が施された画像データは、出力部１８０によってプリンタドライバ２００に出力され、インクジェットプリンタ１０によって印刷される。
【００３６】
図３は、印刷領域３２の形状と、テストパターンおよび調整量との対応関係を示す説明図である。先に説明したように、印刷領域３２の形状と、テストパターンとの対応関係は、テストパターン記憶部１４０に記憶され、印刷領域３２の形状と、調整量との対応関係は、調整量記憶部１６０に記憶される。本実施例では、調整量記憶部１６０に記憶される調整量は、印刷位置をｘ方向（主走査方向）およびｙ方向（副走査方向）に調整すべき距離であるものとした。
【００３７】
Ｃ．テストパターン：
本実施例では、図３に示したように、８種類のＣＤ−Ｒ３０それぞれについて、予めテストパターンが用意されているものとした。「テストパターン」の欄には、印刷領域３２の形状、および、４つの十字マークからなるテストパターンを模式的に示した。なお、本実施例では、各印刷領域３２の中央部には、円形の非印刷領域が存在するものとした。
【００３８】
図示するように、形状が「１２ｃｍ円形」および「８ｃｍ円形」のＣＤ−Ｒ３０については、先に説明した従来のテストパターンを適用するものとした。円形と異なる形状を有するＣＤ−Ｒ３０については、以下の特徴のうちの少なくとも１つを有するテストパターンを適用した。
【００３９】
特徴１；インクジェットプリンタ１０の印刷ヘッドの主走査方向および副走査方向の少なくとも一方に対して斜め方向になるように、印刷位置のずれを測定する際の測定方向を規定するとともに、印刷位置のずれに対応した所定の距離を測定可能に印刷されるパターンを含む。
【００４０】
Ｎｏ．００３〜００８のテストパターンは、全てこの特徴を有している。
【００４１】
図３に示したように、十字マークの長い方の線分が、破線で示した測定方向を規定している。また、本実施例では、図示したテストパターンにおいて、十字マークの交点と、印刷領域３２と非印刷領域との境界線との距離、即ち、十字マークの交点と、図示した破線と印刷領域中央部の円との交点との距離が「所定の距離」に相当する。なお、例えば、十字マークの交点と、破線と印刷領域３２の外形線との交点との距離を「所定の距離」としてもよい。印刷位置のずれが生じていないときのテストパターンと印刷領域３２との位置関係は、予め定められているから、この距離は、印刷位置のずれが生じていないときには、予め設計された設計値となる。従って、距離が設計値と異なる場合には、印刷位置にずれが生じていることになる。
【００４２】
特徴２；印刷領域３２の形状が多角形である場合、多角形の対角線方向に、印刷位置のずれを測定する際の測定方向を規定するとともに、印刷位置のずれに対応した所定の距離を測定可能に印刷されるパターンを含む。
【００４３】
Ｎｏ．００３，００７，００８のテストパターンは、この特徴を有している。Ｎｏ．００５，００６についても、印刷領域３２の形状を擬似的な多角形とみなした場合、この特徴を有しているということができる。
【００４４】
特徴３；印刷位置のずれを測定する際の測定方向を少なくとも２方向規定するための少なくとも２つの線分を含むとともに、印刷位置のずれに対応した所定の距離を測定可能に印刷されるパターンを含み、２つの線分の長さは、略同一である。
【００４５】
Ｎｏ．００３〜００７のテストパターンは、この特徴を有している。このようなテストパターンによって、２方向について同等な精度で距離の測定を行うことができる。
【００４６】
特徴４；印刷位置のずれを２次元的に特定するために予め設定された２つの基準方向に対して斜め方向になるように、ずれを測定する際の測定方向を規定するとともに、印刷位置のずれに対応した所定の距離を測定可能に印刷されるパターンを含む。
【００４７】
２つの基準方向を主走査方向および副走査方向とした場合、Ｎｏ．００３〜００７のテストパターンは、この特徴を有している。
【００４８】
また、各テストパターンは、ＣＤ−Ｒ３０の回転中心（非印刷領域である円の中心）印刷領域３２の外周との２つの交点までの距離の少なくとも一方が最大となる直線上の線分を含むという特徴も有している。
【００４９】
上述した特徴を有するテストパターンを用いることによって、ユーザが所定の距離を測定するために定規を当てることができるスペースを、従来のテストパターンの場合よりも多く確保することができる。この結果、ユーザが定規を用いて先に説明した距離の測定を行い易くすることができる。
【００５０】
なお、テストパターンは、Ｎｏ．００６，００７に示したように、左右非対称であってもよい。また、２方向の測定方向のうち一方が、主走査方向または副走査方向と一致していてもよい。また、後述するように、本実施例のテストパターンは、主走査方向および副走査方向の２方向の印刷位置のずれ量を特定するために利用されるものである。従って、主走査方向および副走査方向のずれ量の算出精度のバランスの観点から、２つの測定方向のなす角度は９０度に近いことが好ましい。
【００５１】
Ｄ．テストパターンの印刷：
図４は、テストパターンの印刷処理の流れを示す説明図である。パーソナルコンピュータＰＣのＣＰＵが実行する処理である。まず、ＣＰＵは、入力部１２０によって、ユーザによって指定されたＣＤ−Ｒ３０が備える印刷領域３２の形状を特定するための形状情報を取得する（ステップＳ１００）。本実施例では、ＧＵＩを用いて、図３に示した予め用意された複数の「形状」の中からユーザが選択した「形状」を形状情報として取得するものとした。次に、ユーザからのテストパターンの印刷指示を取得する（ステップＳ１１０）。次に、選択部１３０によって、テストパターン記憶部１４０を参照し、ステップＳ１００で入力された形状情報に基づいて、印刷領域３２の形状に対応したテストパターンを選択する（ステップＳ１２０）。そして、出力部１８０によって、このテストパターンをプリンタドライバ２００に出力し、インクジェットプリンタ１０によって、テストパターンを印刷する（ステップＳ１３０）。本実施例では、ＣＤ−Ｒ３０と略同一形状の印刷位置確認用シートにテストパターンを印刷するものとした。
【００５２】
Ｅ．印刷位置のずれの測定：
ユーザは、テストパターンの印刷結果を用いて、先に説明した距離を測定する。図５は、テストパターンの印刷結果において、ユーザが測定する距離について示す説明図である。図５（ａ）には、印刷位置のずれが生じていない場合のテストパターンの印刷結果を示した。図５（ｂ）には、印刷位置のずれが生じている場合のテストパターンの印刷結果を示した。また、図５（ｃ）には、図５（ｂ）における印刷位置のずれの様子を拡大して示した。図中の点Ｏは、印刷領域３２（ＣＤ−Ｒ３０）の回転中心であり、点Ｏ’は、距離の測定方向を示す２つの破線の交点である。
【００５３】
図５（ａ）において、ユーザは、十字マークの長い方の線分、即ち、図示した破線に沿って定規を当てる。そして、図示した右上の十字マークの交点である点ｔ１と、定規を当てた破線と非印刷領域である円Ｃとの交点である点ｐ１との距離Ｌ１、および、左上の十字マークの交点である点ｔ２と、定規を当てた破線と非印刷領域である円Ｃとの交点である点ｐ２との距離Ｌ２を測定する。図５（ａ）に示した例では、点Ｏと点Ｏ’とが一致しており、距離Ｌ１および距離Ｌ２がそれぞれ設計値Ｌであるから、印刷位置にずれが生じていないことが分かる。印刷位置にずれが生じている場合には、図５（ｂ）に示したように、点Ｏと点Ｏ’とが一致しておらず、右上の十字マークの交点である点ｔ１と、定規を当てた破線と非印刷領域である円Ｃとの交点である点ｐ１ａとの距離Ｌ１ａ、および、左上の十字マークの交点である点ｔ２と、定規を当てた破線と非印刷領域である円Ｃとの交点である点ｐ２ａとの距離Ｌ２ａは、それぞれ設計値Ｌからずれている（Ｌ１ａ＞Ｌ，Ｌ２ａ＜Ｌ）。
【００５４】
図示した例では、図５（ｃ）から、距離Ｌ１ａは、その測定方向に距離ｄＬ１（＝｜Ｌ−Ｌ１ａ｜）ずれており、距離Ｌ２ａは、その測定方向に距離ｄＬ２（＝｜Ｌ−Ｌ２ａ｜）ずれていることが分かる。そして、図示した大きさｄＬ１、ｄＬ２の２つのベクトルの合成が点Ｏと点Ｏ’とのずれ、即ち、印刷位置のずれになっている。このずれは、主走査方向のずれ（＋ｄｘ１）と、副走査方向のずれ（＋ｄｙ１）とに分解することができる。印刷位置のずれが生じていないときのテストパターンと印刷領域３２との位置関係は、予め定められているから、テストパターンの印刷結果を用いて上述した距離の測定を行うことによって、主走査方向および副走査方向について、印刷位置のずれ量を特定することができる。
【００５５】
なお、図５（ｂ）には、図示の都合上、印刷位置のずれが極端に大きい場合を示したが、実際に生じる印刷位置のずれは１ｍｍ以下のオーダーであることがほとんどである。このため、本実施例では、図示した点Ｏを中心とする非印刷領域を示す円Ｃと、ｐ１ａおよびｐ２ａとの位置関係による距離Ｌ１ａおよび距離Ｌ２ａの測定誤差は考慮していない。
【００５６】
図６は、画像の印刷処理時に印刷位置の調整に用いられる調整量の保存処理の流れを示すフローチャートである。パーソナルコンピュータＰＣのＣＰＵが実行する処理である。まず、ＣＰＵは、入力部１２０によって、図５を用いて説明したユーザによる距離の測定値を取得する（ステップＳ２００）。次に、算出部１５０によって、測定値に基づいて、ずれ量を算出する（ステップＳ２１０）。テストパターンにおける十字マークの配置、および、印刷領域３２の各寸法は既知であるから、例えば、図５に示した距離Ｌ１ａ、Ｌ２ａの設計値Ｌからのずれを特定することによって、図５を用いて説明したように、印刷ヘッドの主走査方向および副走査方向の印刷位置のずれ量ｄｘ、ｄｙを算出することができる。次に、算出部１５０によって算出されたずれ量に基づいて求められる調整量を、印刷領域３２の形状と対応付けて調整量記憶部１６０に保存する（ステップＳ１７０）。本実施例では、ずれ量ｄｘ、ｄｙの符号の正負を逆にした値を調整量として用いるものとした。
【００５７】
Ｅ．画像の印刷：
図７は、ＣＤ−Ｒ３０への画像の印刷処理の流れを示す説明図である。パーソナルコンピュータＰＣのＣＰＵが実行する処理である。まず、ＣＰＵは、ＣＤ−Ｒ３０の形状に合わせて編集され、ユーザによって指定された画像データの印刷指示を取得する（ステップＳ３００）。次に、ユーザによって指定された画像データを取得する（ステップＳ３１０）。このとき、画像データは、ＣＤ−Ｒ３０の形状に合わせて編集されたものであるから、形状情報も併せて取得することができる。また、トレイ２０のサイズも取得する。トレイ２０のサイズを取得するのは、後述する架空画像を設定するためである。本実施例では、トレイ２０のサイズは既知であり、Ａ４サイズであるものとした。次に、調整量記憶部１６０を参照して、ステップＳ３１０で取得した形状情報に基づいて、印刷領域３２の形状に対応した調整量を取得する（ステップＳ３２０）。そして、調整量に基づいて、印刷すべき画像のレイアウトを調整する（ステップＳ３３０）。
【００５８】
図８は、画像のレイアウトの調整の様子を模式的に示す説明図である。本実施例では、ＣＤ−Ｒ３０への印刷時に、架空画像データと、図７のステップＳ３１０で取得した印刷画像データとを合成した画像データを生成する。図示した領域Ｇｖは、トレイ２０のサイズに対応しており、印刷に供しない、即ち、階調値が０の架空画像データの領域である。２点鎖線で囲み、ハッチングを付した領域Ｇｐは、トレイ２０の凹部２２の位置、即ち、ＣＤ−Ｒ３０の載置位置に対応しており、印刷領域３２に実際に印刷すべき印刷画像データの領域である。図示した領域Ｇｐは、画像のレイアウトの調整前の印刷画像データの領域である。また、実線で囲み、ハッチングを付した領域Ｇｐｃは、レイアウトの調整後の印刷画像データの領域である。図示するように、本実施例では、架空画像データ上における印刷画像データのレイアウトを、調整量（ｘ＝ｘ１、ｙ＝ｙ１）に相当する画素数分、主走査方向および副走査方向にずらすことによって調整する。このようにすることによって、印刷領域３２への印刷位置の調整をソフトウェア的に容易に行うことができる。
【００５９】
画像のレイアウトの調整が終了すると、この画像データをプリンタドライバ２００に出力し（図７、ステップＳ３４０）、インクジェットプリンタ１０によって印刷させる（ステップＳ３５０）。こうして印刷処理は終了する。
【００６０】
以上説明した本実施例の印刷システムによれば、種々の形状を有するＣＤ−Ｒ３０が備える印刷領域３２の形状に応じて、ユーザが印刷位置の調整のための所定の距離を測定しやすいテストパターンを印刷し、精度よく印刷位置の調整を行うことができる。
【００６１】
Ｆ．変形例：
以上、本発明の実施の形態について説明したが、本発明はこのような実施の形態になんら限定されるものではなく、その要旨を逸脱しない範囲内において種々なる態様での実施が可能である。例えば、以下のような変形例が可能である。
【００６２】
Ｆ１．変形例１：
上記実施例では、十字マークを有するテストパターンを図３に示したが、図示したテストパターンは一例にすぎず、先に示した特徴を有する他のテストパターンを適用するものとしてもよい。テストパターンは、例えば、単純な線分や点であってもよい。
【００６３】
Ｆ２．変形例２：
上記実施例では、ＣＤ−Ｒ３０の印刷領域３２にテストパターンおよび画像を印刷する場合について示したが、これに限られない。本発明をフレキシブルディスクや、ミニディスク（商標）など、印刷領域を備える他の記録媒体に適用することも可能である。
【００６４】
Ｆ３．変形例３：
上記実施例では、印刷領域３２の形状を特定するための形状情報として、図３に示した「形状」を用いたが、例えば、ＣＤ−Ｒ３０および印刷領域３２の形状を特定可能な製品番号を形状情報として用いるようにしてもよい。
【００６５】
Ｆ４．変形例４：
上記実施例では、調整量記憶部１６０は、調整すべき距離を記憶するのもとしたが、画像データを何画素分ずらすべきかを示す数値を記憶するようにしてもよい。この場合、調整すべき画素数は、インクジェットプリンタ１０の印刷解像度によって異なるから、調整量は、印刷解像度ごとに記憶されることが好ましい。
【図面の簡単な説明】
【図１】本発明の印刷制御装置を適用した一実施例としての印刷システムの構成を示す説明図である。
【図２】インクジェットプリンタ１０にセットされるトレイ２０およびＣＤ−Ｒ３０を示す斜視図である。
【図３】ＣＤ−Ｒ３０の形状と、テストパターンおよび調整量との対応関係を示す説明図である。
【図４】テストパターンの印刷処理の流れを示す説明図である。
【図５】テストパターンの印刷結果において、ユーザが測定する距離について示す説明図である。
【図６】画像の印刷処理時に印刷位置の調整に用いられる調整量の保存処理の流れを示すフローチャートである。
【図７】ＣＤ−Ｒ３０への画像の印刷処理の流れを示す説明図である。
【図８】画像のレイアウトの調整の様子を模式的に示す説明図である。
【図９】従来の印刷位置調整用テストパターンの印刷の一例を示す説明図である。
【符号の説明】
１０…インクジェットプリンタ
２０…トレイ
２２…凹部
３０…ＣＤ−Ｒ
３２…印刷領域
１００…アプリケーション
１１０…制御部
１２０…入力部
１３０…選択部
１４０…テストパターン記憶部
１５０…算出部
１６０…調整量記憶部
１７０…画像編集部
１７２…調整部
１８０…出力部
２００…プリンタドライバ
ＰＣ…パーソナルコンピュータ
【図１】
2004122582.tif 000003
【図２】
2004122582.tif 000004
【図３】
2004122582.tif 000005
【図４】
2004122582.tif 000006
【図５】
2004122582.tif 000007
【図６】
2004122582.tif 000008
【図７】
2004122582.tif 000009
【図８】
2004122582.tif 000010
【図９】
2004122582.tif 000011